(57)【要約】【課題】第１筐体１と第２筐体２を互いに開閉可能に連結してなり、一方の筐体２の内面にはディスプレイ21が配備されている折り畳み式携帯端末機において、両筐体１、２を開いて両筐体の側面を水平の設置面上に接触させた自立状態で、ディスプレイの画面を従来よりも見易いものとする。【解決手段】本発明に係る折り畳み式携帯端末機は、第１筐体１と第２筐体２の側面４、５のそれぞれに、第１筐体１の背面側に低く傾斜する斜面41と、第２筐体２の背面側に低く傾斜する斜面52とが形成され、第１筐体１と第２筐体２を所定の角度で開いた状態で前記斜面41、52を接触面として、水平の設置面上に両筐体１、２を自立させることが可能であって、該自立状態でディスプレイ21は９０度未満の仰角を有する。【選択図】図４
2008098797.tif 000002
【特許請求の範囲】
【請求項１】
それぞれ扁平な直方体状の第１筐体(１)と第２筐体(２)をヒンジ機構(３)を介して互いに開閉可能に連結してなり、少なくとも何れか一方の筐体(２)の内面にはディスプレイ(21)が配備されている折り畳み式携帯端末機において、
ヒンジ機構(３)の枢軸の一端側に形成されている第１筐体(１)と第２筐体(２)の側面にはそれぞれ、第１筐体(１)の背面側に低く傾斜する斜面(41)と、第２筐体(２)の背面側に低く傾斜する斜面(52)とが形成され、第１筐体(１)と第２筐体(２)を所定の角度で開いた状態で前記斜面(41)(52)を接触面として、水平の設置面上に両筐体(１)(２)を自立させることが可能であって、該自立状態で前記ディスプレイ(21)は９０度未満の仰角を有することを特徴とする折り畳み式携帯端末機。
【請求項２】
第１筐体(１)と第２筐体(２)の側面はそれぞれ、各側面上を伸びる稜線を境界として該稜線の両側に拡がる第１斜面(41)(51)と第２斜面(42)(52)とを有し、第１筐体(１)の側面を形成する第１斜面(41)と第２斜面(42)の内、第１斜面(41)が第１筐体(１)の背面側に低く傾斜すると共に、第２筐体(２)の側面を形成する第１斜面(51)と第２斜面(52)の内、第２斜面(52)が第２筐体(２)の背面側に低く傾斜して、前記接触面となる請求項１又は請求項２に記載の折り畳み式携帯端末機。
【請求項３】
第１筐体(１)と第２筐体(２)を所定の角度に開いた状態で、第１筐体(１)の側面の第１斜面(41)と第２筐体(２)の側面の第２斜面(52)とは、同一平面上に揃うこととなる請求項２に記載の折り畳み式携帯電話機。
【請求項４】
第１筐体(１)と第２筐体(２)の側面にそれぞれ形成されている前記稜線は、各側面を斜め方向に伸びて、両筐体(１)(２)を閉じた状態で両筐体(１)(２)の稜線は一直線上に揃うこととなる請求項２又は請求項３に記載の折り畳み式携帯端末機。
【請求項５】
第１筐体(１)と第２筐体(２)を閉じた状態で、第１筐体(１)の側面の第１斜面(41)と第２筐体(２)の側面の第１斜面(51)とは同一平面上に揃うと共に、第１筐体(１)の側面の第２斜面(42)と第２筐体(２)の側面の第２斜面(52)とは同一平面上に揃うこととなる請求項３又は請求項４に記載の折り畳み式携帯端末機。
【請求項６】
ヒンジ機構(３)の枢軸の両側に形成されている両筐体(１)(２)の両側面のそれぞれに、前記第１斜面(41)(51)と第２斜面(42)(52)が形成されている請求項１乃至請求項５の何れかに記載の折り畳み式携帯端末機。
【発明の詳細な説明】
【技術分野】
【０００１】
本発明は、折り畳み式携帯電話機の如く、２つの筐体を互いに開閉可能に連結してなる折り畳み式携帯端末機に関するものである。
【背景技術】
【０００２】
折り畳み式携帯電話機においては、互いに開閉可能に連結された２つの筐体の内、一方の筐体の内面に操作キーが配備されると共に、他方の筐体の内面にディスプレイが配備され、両筐体を開いた状態でディスプレイの表示を見ながら操作キーの操作を行なうことが可能となっている。
【０００３】
ところで近年、ＴＶ受像機能を具えた折り畳み式携帯電話機が開発されている(特許文献１等)。この様な折り畳み式携帯電話機においては、図６の如く両筐体(６)(７)を１８０度未満の角度で開いた状態で、両筐体(６)(７)の側面を接触面として水平の設置面Ｓ上に自立させることにより、一方の筐体(７)の内面に配備されたディスプレイ(71)の画面を横長の配置として、携帯電話機から離れた位置からディスプレイ(71)の画面を観ることが可能となる。
【特許文献１】特開２００５−２０１７８号公報［H04N5/66］
【発明の開示】
【発明が解決しようとする課題】
【０００４】
しかしながら、従来のＴＶ受像機能付き折り畳み式携帯電話機においては、図６の如く設置面Ｓ上に自立させた状態で、両筐体(６)(７)を連結するヒンジ機構の枢軸Ａは設置面Ｓに対して垂直であり、一方の筐体(７)の内面に配備されたディスプレイ(71)の画面も設置面Ｓに対して垂直となるため、通常のＴＶ鑑賞姿勢における視線Ｖの方向がディスプレイ(71)の画面に対して大きく傾斜し、画面が見づらい問題があった。
【０００５】
そこで本発明の目的は、一対の筐体を所定の角度に開いて両筐体の側面を水平の設置面上に接触させた自立状態で、少なくとも一方の筐体の内面に配備されたディスプレイの画面が従来よりも見易いものとなる折り畳み式携帯端末機を提供することである。
【課題を解決するための手段】
【０００６】
本発明に係る折り畳み式携帯端末機においては、それぞれ扁平な直方体状の第１筐体(１)と第２筐体(２)がヒンジ機構(３)を介して互いに開閉可能に連結されており、少なくとも何れか一方の筐体(２)の内面にはディスプレイ(21)が配備されている。
ここで、ヒンジ機構(３)の枢軸の一端側に形成されている第１筐体(１)と第２筐体(２)の側面にはそれぞれ、第１筐体(１)の背面側に低く傾斜する斜面(41)と、第２筐体(２)の背面側に低く傾斜する斜面(52)とが形成され、第１筐体(１)と第２筐体(２)を所定の角度で開いた状態で前記斜面(41)(52)を接触面として、水平の設置面上に両筐体(１)(２)を自立させることが可能であって、該自立状態で前記ディスプレイ(21)は９０度未満の仰角を有することになる。
【０００７】
具体的構成において、第１筐体(１)と第２筐体(２)の側面はそれぞれ、各側面上を伸びる稜線を境界として該稜線の両側に拡がる第１斜面(41)(51)と第２斜面(42)(52)とを有し、第１筐体(１)の側面を形成する第１斜面(41)と第２斜面(42)の内、第１斜面(41)が第１筐体(１)の背面側に低く傾斜すると共に、第２筐体(２)の側面を形成する第１斜面(51)と第２斜面(52)の内、第２斜面(52)が第２筐体(２)の背面側に低く傾斜して、前記接触面となる。
【０００８】
又、具体的構成において、第１筐体(１)と第２筐体(２)を所定の角度に開いた状態で、第１筐体(１)の側面の第１斜面(41)と第２筐体(２)の側面の第２斜面(52)とは、同一平面上に揃うこととなる。
【０００９】
又、具体的には、第１筐体(１)と第２筐体(２)の側面にそれぞれ形成されている前記稜線は、各側面を斜め方向に伸びて、両筐体(１)(２)を閉じた状態で両筐体(１)(２)の稜線は一直線上に揃うこととなる。
【００１０】
又、具体的には、第１筐体(１)と第２筐体(２)を閉じた状態で、第１筐体(１)の側面の第１斜面(41)と第２筐体(２)の側面の第１斜面(51)とは同一平面上に揃うと共に、第１筐体(１)の側面の第２斜面(42)と第２筐体(２)の側面の第２斜面(52)とは同一平面上に揃うこととなる。
【００１１】
更に具体的には、ヒンジ機構(３)の枢軸の両側に形成されている両筐体(１)(２)の両側面のそれぞれに、前記第１斜面(41)(51)と第２斜面(42)(52)が形成されている。
【発明の効果】
【００１２】
本発明に係る折り畳み式携帯端末機によれば、第１筐体(１)と第２筐体(２)を所定の角度で開いた状態で両筐体(１)(２)の側面を水平の設置面に接触させて自立させた状態で、ディスプレイ(21)は９０度未満の仰角を有することになるので、視聴者がディスプレイ(21)を僅かに見下ろす通常の鑑賞状態では、視聴者の視線がディスプレイの画面と垂直若しくは垂直に近い角度をなし、画面は従来よりも見易いものとなる。
【発明を実施するための最良の形態】
【００１３】
以下、本発明をＴＶ受像機能付きの折り畳み式携帯電話機に実施した形態につき、図面に沿って具体的に説明する。
本発明に係る折り畳み式携帯電話機は、図１に示す如く、それぞれ扁平な直方体状を呈する第１筐体(１)と第２筐体(２)を、ヒンジ機構(３)により互いに開閉可能に連結して構成され、第１筐体(１)の内面には複数の操作キー(11)が配備されると共に、第２筐体(２)の内面にはディスプレイ(21)が配備されている。
【００１４】
図２(ａ)(ｂ)(ｃ)及び図３(ａ)(ｂ)(ｃ)に示す様に、第１筐体(１)と第２筐体(２)は、ヒンジ機構(３)の枢軸の両側にそれぞれ、操作キー(11)群とディスプレイ(21)に沿って伸びる側面(４)(５)を有し、第１筐体(１)の側面(４)と第２筐体(２)の側面(５)のそれぞれには、各側面上を斜め方向に伸びる１本の稜線を境界として該稜線の両側に拡がる第１斜面(41)(51)と第２斜面(42)(52)とが形成されている。
【００１５】
第１筐体(１)の一方の側面を形成する第１斜面(41)と第２斜面(42)の内、第１斜面(41)は第１筐体(１)の背面側に低く傾斜すると共に、第２斜面(42)は第１筐体(１)の内面側に低く傾斜している。
又、第２筐体(２)の一方の側面を形成する第１斜面(51)と第２斜面(52)の内、第１斜面(51)は第１筐体(１)の内面側に低く傾斜すると共に、第２斜面(52)は第２筐体(２)の背面側に低く傾斜している。
【００１６】
ここで、第１筐体(１)の両側面(４)(４)は互いに左右対称であると共に、第２筐体(２)の両側面(５)(５)は左右対称となっている。
両筐体(１)(２)を閉じた状態で両筐体(１)(２)の稜線は１本の直線上に揃うことになる。又、第１筐体(１)の側面(４)の第１斜面(41)と第２筐体(２)の側面(５)の第１斜面(51)とは同一平面上に揃い、第１筐体(１)の側面(４)の第２斜面(42)と第２筐体(２)の側面(５)の第２斜面(52)とは同一平面上に揃うことになる。
【００１７】
図２(ａ)(ｂ)(ｃ)に示す様に、第１筐体(１)の右側の側面(４)の第１斜面(41)には、通話時及びＴＶ受信時のスピーカ音量を調整するための音量アップ／ダウンキー(12)と、メモリカードを挿入するためのカードスロット(13)とが配備されている。又、第１筐体(１)の左側の側面(４)の第１斜面(41)には、イヤホン端子(14)とデータ端子(15)が配備されている。
更に、第２筐体(２)の背面には、撮影のためのカメラ(22)、撮影時に発光すべきフラッシュ(23)、及びサブディスプレイ(24)が配備されている。
【００１８】
上記本発明の折り畳み式携帯電話機においては、図４に示す様に、第１筐体(１)と第２筐体(２)を所定の角度(例えば１６８度)に開いた状態で、図中にハッチングで示す、第１筐体(１)の側面(４)の第１斜面(41)と第２筐体(２)の側面(５)の第２斜面(52)とは、同一平面上に揃うこととなる。従って、図５に示す如く、第１筐体(１)と第２筐体(２)を開いた状態で横に倒し、前記第１斜面(41)と第２斜面(52)を水平の設置面Ｓに接触させることによって、両筐体(１)(２)を安定した姿勢で設置面Ｓ上に自立させることが可能である。
【００１９】
この状態で、前記ヒンジ機構(３)の枢軸Ａ′は設置面Ｓに対して所定の後退角を有し、第２筐体(２)のディスプレイ(21)は、その画面に対する垂線が水平面に対して９０°未満の所定の角度(仰角)を有して、僅かに上向きの姿勢に設置されることになる。
従って、視聴者がディスプレイ(21)を僅かに見下ろす通常の鑑賞状態では、図５中に矢印Ｖで示す視聴者の視線が、ディスプレイの画面と垂直若しくは垂直に近い角度をなし、画面は従来よりも見易いものとなる。
【００２０】
又、第１筐体(１)と第２筐体(２)を開いた状態で横に倒して設置面上に自立させたとき、第１筐体(１)の右側の側面(４)に配備した音量アップ／ダウンキー(12)とカードスロット(13)が上面の配置となるため、自立状態のまま、音量アップ／ダウンキー(12)の操作によってＴＶ受信時の音量調整が可能であると共に、メモリカードの交換が可能である。
【００２１】
更に、図２及び図３に示す如く第１筐体(１)と第２筐体(２)を閉じた状態では、第１筐体(１)の側面(４)の第１斜面(41)と第２筐体(２)の側面(５)の第１斜面(51)とが同一平面上に揃うと共に、操作キー(11)の側面(４)の第２斜面(42)と第２筐体(２)の側面(５)の第２斜面(52)とが同一平面上に揃って、１本の稜線が形成されるに過ぎないので、側面(４)(５)に大きな段差が生じたり、必要以上の凹凸が形成されることはない。
【００２２】
尚、第１筐体(１)と第２筐体(２)を開いた状態で横に倒して設置面上に自立させたとき、上面となる一方の筐体の側面(４)にイヤホン端子(14)やデータ端子(15)を配備する構成も採用可能であって、イヤホン端子(14)を配備した構成では、ＴＶ受信時にイヤホンによって音声を聞くことが出来、データ端子(15)を配備した構成では、データ端子(15)にデータケーブルを介して別のＡＶ機器を接続することにより、別のＡＶ機器から供給される映像データや音声データを入力して映像や音声の再生が可能となる。
又、自立状態で上面となる一方の筐体の側面(４)にチャンネル切り換えスイッチを配備する構成も採用可能である。
【図面の簡単な説明】
【００２３】
【図１】本発明に係る折り畳み式携帯電話機の開いた状態を示す正面図である。
【図２】該折り畳み式携帯電話機の閉じた状態を示す正面図及び両側面図である。
【図３】図２のＡ−Ａ線、Ｂ−Ｂ線及びＣ−Ｃ線に沿う断面図(ａ)(ｂ)(ｃ)である。
【図４】両筐体を開いた状態を示す斜視図である。
【図５】該折り畳み式携帯電話機を自立させた状態を示す側面図である。
【図６】従来の折り畳み式携帯電話機を自立させた状態を示す側面図である。
【符号の説明】
【００２４】
(１)  第１筐体
(11)  操作キー
(２)  第２筐体
(21)  ディスプレイ
(３)  ヒンジ機構
(４)  側面
(41)  第１斜面
(42)  第２斜面
(５)  側面
(51)  第１斜面
(52)  第２斜面
【図１】
2008098797.tif 000003
【図２】
2008098797.tif 000004
【図３】
2008098797.tif 000005
【図４】
2008098797.tif 000006
【図５】
2008098797.tif 000007
【図６】
2008098797.tif 000008